(57)【要約】【課題】  シ−ト、マットを使用して、雑草の繁茂を抑制しつつ、シ−ト、マットに切込みを入れ緑化する場合に、この部分が雑草の生育部分にもなってしまう。また、このようにして植栽した場合、植栽された苗から新たに展開する葉、茎、花の多くがシ−ト、マットの下に展開してしまう。これらを、解決することである。【解決手段】  シート、マットの上に定着できるように育成した苗を、シート、マットの上に設置し、その後この苗の根を土中に定着させる方法により、切込みを入れないか、入れても最小限の切込みで、且つ、この苗に切り込みを塞ぐ機能を持たせることで、雑草を抑制しつつ、植栽した植物が順調に生育し、植栽された苗から新たに展開する葉、茎（花茎を含む）匍匐枝、ランナーが防草シ−ト、マット上に展開する方法と、それを可能にする植物苗を開発することで解決した。【選択図】      図１９
2006094787.tif 000002
【特許請求の範囲】
【請求項１】
マット、シートを利用し、雑草の繁茂を抑制しつつ緑化を図る工程において、緑化される部分は、雑草も生育する部分になるが、雑草の抑制機能を低下させないために、マット、シートから地中に達する根系において、マット、シート直下から数ｃｍの幅で空気層が形成される植栽方法。
【請求項２】
植栽する苗の地上部（葉、茎、花）が、敷設される、もしくは既敷のマット、シートの直上部に位置されるよう植栽することで、植栽後新たに展開する地上部がマット、シートの上部に展開するにする植栽方法。
【請求項３】
請求項１、２の植栽を可能にするため、空気層をすでに有した状態の苗、または、その状態を可能にする苗。
【請求項４】
請求項１、２の植栽方法を容易にするため、もしくは請求項３の苗を容易に得るための補助パイプ。
【請求項５】
浮かせて敷設するマット、シートにおいて、雑草の貫通しない強度を有し、且つ、植物が生育可能ではないが高い保水性を有し、請求項３の苗の活着を補完するマット、シート。
【発明の詳細な説明】
【技術分野】
【０００１】
本発明はマットを用い、既存の緑地、及び、今後創出する緑地の植生を人為的にコントロールする方法である。
【背景技術】
【０００２】
従来、雑草が繁茂する草地は、除草を繰り返すか、マット、シート（今後はマットとだけ表記するがシートも含んだ意味とする）を敷設することや、コンクリー等で塞ぐことがなされてきた。
【０００３】
一方で、都市のヒートアイランド化の緩和や美観のため緑化する必要性が高くなっており、マット敷設後切込みを入れて植栽することがなされている。
【０００４】
ところがこの部分は雑草が生育可能な部分にもなり、実際に雑草が生育している場合が多い。また、従来技術でのマット敷設では、切り込み部分以外でも雑草が生育していることが見かけられる。
【０００５】
そこで本発明者はマットを浮かせて敷設することで、防草効果を飛躍的に高める技術を開発した。
【０００６】
浮かせて敷設したマットに切込みを入れ植栽する場合、苗を１マットの下の地面の高さで植えた場合、２マット直下に植え、苗の土とマットが接している場合、３その中間型が考えられ、
【０００７】
１、３の場合、雑草の侵入をほぼ防ぐことは可能であるが、地際から新たに出る茎、花、葉、匍匐枝、ランナーなどがマットの下に展開するものもあり、新たに出る茎、花、葉、匍匐枝、ランナーなどの一部が、マット上に出られない欠陥が生ずる。２の場合は雑草の侵入の可能性が高くなる。
【０００８】
１個体の雑草が侵入しただけでも、それが旺盛な生育をする種であれば（例えばイネ科のメヒシバは直径１ｍをはるかに越える範囲に匍匐展開してしまう）防草効果は著しく低下する。
【０００９】
そこで発明者は、新たに出る葉、茎、花、匍匐枝、ランナーなどがマット上に展開できること、植栽部分に雑草を侵入させないことが可能な技術と、製品の開発に取り組んだ。なお、この技術は、従来のマットの敷設方法でも効果は認められるが、マットを浮かせた敷設方法がより効果的である。
【発明の開示】
【発明が解決しようとする課題】
【００１０】
しかしながら、マットに切込みを入れ植栽することは、どうしてもその部分に雑草の侵入を招く。そこでマットの上に定着できるように育成した苗を、マットの上に設置し、その後この苗の根を土中に定着させることで、雑草を抑制しつつ、植栽した植物が順調に生育する方法と、それを可能にする植物苗を開発した。
【課題を解決するための手段】
【００１１】
請求項１の発明にかかる方法は、マットを利用し、雑草の繁茂を抑制しつつ緑化を図る工程において、緑化される部分は、雑草も生育する部分になるが、雑草の抑制機能を低下させないために、マットから地中に達する根系において、マット直下から数ｃｍの幅で空気層が形成される植栽方法である。
【００１２】
請求項２の発明にかかるものは、植栽する苗の地上部（葉、茎、花）が、敷設される、もしくは既敷のマットの直上部に位置されるよう植栽することで、植栽後新たに展開する地上部がマットの上部に展開するにする植栽方法である。
【００１３】
請求項３の発明にかかるものは、請求項２、３の植栽を可能にするため、空気層をすでに有した状態の苗、または、その状態を可能にする苗である。
【００１４】
請求項４の発明にかかるものは請求項１、２の植栽方法を容易にするため、もしくは請求項３の苗を容易に得るための補助パイプである。
【００１５】
請求項５の発明にかかるものは浮かせて敷設するマットにおいて、雑草の貫通しない強度を有し、且つ、植物が生育可能ではないが高い保水性を有し、請求項３の苗の活着を補完するマットである。
【発明の効果】
【００１６】
請求項１の発明にかかる方法は、マットを利用し、雑草の繁茂を抑制しつつ緑化を図る工程において、緑化される部分は、雑草も生育する部分になるが、雑草の抑制機能を低下させないために、マットから地中に達する根系において、マット直下から数ｃｍの幅で空気層が形成される植栽方法である。したがってマット直下から数ｃｍの幅に位置する根系は空気にさらされた状態になる。
【００１７】
マットに切り込みを入れたり、穴を開けて植栽する場合、ここが傷口となって雑草が生育する場合が多い。
【００１８】
そこで、マットから地中に達する根系において、マット直下から数ｃｍの幅の空気層を形成することで、この植栽された部分のマットが地表から浮いた状態になり、マットの防草効果の低下は大きく軽減される。
【００１９】
また、防草マットに切り込みや穴あけをせずに植栽することや、この方法では活着が困難な種は、最低限の切り込み、穴あけをした後に植栽し、植栽した「苗」に、傷口を塞ぐ効果をもたせることで、マットの遮光効果を減ずることがなくなり、マットの植栽部分での雑草が生育するのを抑制できるようになった。
【００２０】
請求項２の発明にかかるものは、植栽する苗の地上部（葉、茎、花）が、敷設される、もしくは既敷のマットの直上部に位置されるよう植栽することで、植栽後新たに展開する地上部がマットの上部に展開するにする植栽方法である。
【００２１】
植栽後、新たに展開する苗の地上部（葉、茎、花）が、敷設される防草シート、マットの下部に展開してしまう場合が多々ある。
【００２２】
そこで苗の地上部（葉、茎、花）が、マットの直上部に露出するように植栽することで、新たに展開する地上部の全てが地上部に展開するようにした。
【００２３】
請求項３の発明にかかるものは、請求項２、３の植栽を可能にするため、すでに空気層を有した状態の苗、または、その状態を可能にする苗である。この空気層はマットが地表から浮いている幅であるのでこのマットが浮いている間隔を今後は｛浮き幅｝と表記する。
【００２４】
この苗は、直上部で苗の地上部が一定期間（植栽された苗が成長し、マット下の土壌などに根を下ろし、そこから吸収した水分や養分で生育できるまで）生育できる条件を有している必要があるが、苗はこの条件を満たせば、より簡便で、安価で、作業性が優れたものが望ましい。したがってこれらの条件は、植栽時期、植栽場所によって異なるし、植物の持つ特性によっても異なる。
【００２５】
上記の機能を有する苗を育成するに当って使用する材料は入手可能な普通の植物苗、保水性が高い通称ファイバーと呼ばれる植物繊維を利用した補助培地、防草シートもしくはマットの３点であり、３点すべて、２点、１点の使用をして得られる苗を、図面を用いて説明する。
【００２６】
補助培地はマットの直上部に位置する部分をＦＪ２、下に位置する部分をＦＧ５として説明する。なお、補助培地ＦＪ２は、降雨が少量の場合もそれを保水できるため、降水を有効に利用でき、植栽初期の生育に特に有効である。但し、飛来種子が生育できる場所でもあるため、小面積で、且つ、薄いことが望ましい。
【００２７】
図１はＦＪ２のみを使用する場合である。板の上に根鉢をほぐした植物苗を置き、根（地下茎を有する植物は地下茎も含む）をＦＪ２で覆う。ＦＪ２に含まれる水分を充分吸収できる段階までに根の機能が回復すれば完成である。こうしてできた苗を、「苗１」とする。
【００２８】
「苗２」は、「苗１」板の上にマットを置き、マット４の上にほぐした植物苗を置き、図１と同様の工程を行う。ＦＪ２に含まれる水分を充分吸収できる段階までに根の機能が回復し、更に根がマット４に貫入すれば完成である。
【００２９】
図２は、「苗２」を更に育成し、根の多くがマット４を貫通し、｛浮き幅｝以上の長さまで育成したものである。こうしてできた苗を、「苗３」とする。この場合マット４は「苗２」より大きいことが望ましい。
【００３０】
図３は、図１の変形であり、板に穴を開け、根鉢をほぐした植物苗を置き、そこから根の一部（地下茎を有する植物は地下茎の全て）を露出させる。露出させない根をＦＪ２で覆う。板の厚さは｛浮き幅｝が望ましい。ＦＪ２に含まれる水分を充分吸収でき、この根で植物全体が生育できる段階まで、根の機能が回復、伸長すれば完成である。この際に露出した根を乾燥させないよう養生する。こうしてできた苗を、「苗４」とする。
【００３１】
「苗５」は、図３の板の上にマット４を敷いた場合である。ＦＪ２に含まれる水分を充分吸収できる段階までに根の機能が回復、伸長し、更に根がマット４に貫入すれば完成である。
【００３２】
図４は図３の工程において、露出させた根の一部をＦＧ５で包んだものである。包む部分は、｛浮き幅｝より長くなった部分である。ＦＪ２、ＦＧ５に含まれる水分を充分吸収でき、この根で植物全体が生育できる段階まで、根の機能が回復、伸長すれば完成である。こうしてできた苗を、「苗６」とする。
【００３３】
「苗７」は図４の板の上にマット４を敷いた場合である。ＦＪ２、ＦＧ５に含まれる水分を充分吸収でき、この根で植物全体が生育できる段階まで根の機能が回復、伸長し、更に根がマット４に貫入すれば完成である。
すれば完成である。
【００３４】
図５の「苗８」は「苗５」のＦＪ２を使用しないものであり、根はマットの下に全て露出させる。植物苗をこのように加工した時点で植栽可能である。
【００３５】
図６の「苗９」は「苗７」のＦＪ２を使用しないものである。根はマット４の下に全て露出させＦＧ５で包む。包む部分は、｛浮き幅｝より長くなった部分である。ＦＧ５に含まれる水分を充分吸収でき、この根で植物全体が生育できる段階まで根の機能が回復、伸長すれば完成である。
【００３６】
図７の「苗１０」は「苗９」のマット４を使用しないものである。
【００３７】
これらの「苗」は、すでに地上部と地中部を有した植物を使用したものであるが、図８、９、１０は種子から「苗」を得る場合である。図８は得ようとする「苗」の種以外の種の種子や根茎を含まない培地土壌８などにマット４を敷き、マット４に穴を開け、穴を覆う程度に同じ土壌を敷入れ、この部分に播種した状態である。図９は発芽、発根し成長した苗の根が、｛浮き幅｝より長く伸長した状態である。図１０は根を傷つけないようにして土壌を除去し、｛浮き幅｝の距離だけこのマット４を浮かせてＦＧ５の上にセットした状態である。ＦＧ５に根が侵入し、この根が生育に充分なだけの水分を吸収できるようになれば完成である。
【００３８】
こうしてできた苗群を「苗１１」とする。単体に分割しても、複数を有するように分割してもよい。この完成品の形態は苗９に近いが、「苗９」の場合はマットの穴から根を通すことになり、必要以上の大きさの穴を開ける場合が生じること、この工程で根に傷が生じることが考えられ、これらをある程度防止できるメリットがある。また、大量生産が可能となる。
【００３９】
種子のかわりに挿し木、挿し芽を利用した場合も可能である。
【００４０】
球根（通常球根と呼ばれてないものでも、根、茎が肥大し、球根と同様に扱うことが可能なものも含む）は通常発芽前か発芽直後までに植え付けることが普通である。
【００４１】
この場合球根の背が｛浮き幅｝より大きければ、敷設されたマット１０の上から球根が差し込める程度の切込みを入れ、発芽部位が敷設されたマット１０の直上部に位置するように植え付ければよい。したがって｛浮き幅｝より大きい部分は地中に入る。
【００４２】
図１１は、球根１０の背が１ｃｍ＜球根＜｛浮き幅｝である場合の事例である。
【００４３】
球根１０が発芽後しばらく経過したものを使用する場合は、図１２のように葉、茎が出ている基部の太さより大き目の穴１１を開け、切込み１２を入れた１０ｃｍ角程のマット４を用い、この穴１１に基部を差し込み、図１３のように根をＦＧ５で包む。こうしてできた苗を「苗１２」とする。球根が１ｃｍ以下程度の小さい物は、種子から育成する「苗１１」に準じる方法がよい。
【００４４】
球根が常緑である場合は「苗１２」と同様である。
【００４５】
請求項４の発明にかかるものは、請求項１、２の植栽方法を容易にするため、もしくは請求項３の苗を容易に得るための補助パイプである。
【００４６】
この補助パイプは、下部に露出させた根、地下茎を保護する、もしくは、取り扱いや植栽を簡易にするためのものであり、補助培地ＦＪ２、培地土壌８の容器にもなる。パイプの内径は１０〜１５mm程、厚みは０.５mm程、長さは｛浮き幅｝＋２０mm程とし、上端部にシルクハットを逆さにしたような縁をつけ、縁の幅は１０mm程度とする。この補助パイプを補助パイプＳ１７、｛浮き幅｝＋７０mmを補助パイプＬ１８とし、補助パイプには根がパイプの途中からも伸長できるような孔を適度に穿つ。図１４は補助パイプＳ１７である。
【００４７】
この補助パイプは「苗４」乃至「苗１０」を作成する場合に有効であり、その方法を図を使って説明する。
【００４８】
図１５は補助パイプＬ１８と培地土壌を使用したものであり、地上部１は補助パイプＬ１８の最上部に位置する。培地土壌８は｛浮き幅｝部分を除いて充填し根の機能が回復すれば完成である。この苗を「苗１３」とする。
【００４９】
図１６は補助パイプＳ１７と補助培地ＦＧ５を使用したものであり、地上部１は補助パイプＳ１７の最上部に位置する。｛浮き幅｝部分を除いて補助培地ＦＧ５で包む。根の機能が回復すれば完成である。この苗を「苗１４」とする。
【００５０】
図１７は「苗１３」の根の一部を補助パイプＬ１８の縁から露出し、補助培地ＦＪ２で覆った苗であり、「苗１５」とする。この工程で「苗７」と同様にマットを加えたものが「苗１６」である
【００５１】
図１８は「苗１４」の根の一部を補助パイプＳ１７の縁から露出し、補助培地ＦＪ２で覆った苗であり、「苗１７」とする。この工程で「苗７」と同様にマットを加えたものが「苗１８」である。
【００５２】
「苗１」は浮かして敷設されたマット１０上に設置し、根がこのマットを貫通した後地中に定着する。この段階でマット直下から数ｃｍの幅に位置する根系は空気にさらされた状態になる。「苗３」は敷設されたマット１０の一部を切り取り、マット同士を接着する方法で設置する。この工程において敷設されたマット１０が浮いていればそのまま、浮いていなければスペーサー等を用いて「苗３」が浮くようにする。この段階でマット直下から数ｃｍの幅に位置する根系は空気にさらされた状態になる。「苗２」は「苗１」「苗３」どちらの方法を用いてもよい。
【００５３】
「苗４」、「苗５」、「苗８」は空気層を持つように植栽した時点でマット直下から数ｃｍの幅に位置する根系は空気にさらされた状態になるが、マットが浮いていない場合はスペーサー等を用いてマットが浮くようにする。
【００５４】
「苗６」、「苗７」及び「苗９」乃至「苗１８」はすでに空気層を有した状態の苗でであるが、マットが浮いていない場合は、スペーサー等を用いて植栽されたマットの部分が浮くようにする必要があることもある。
【００５５】
なお、補助培地ＦＪ２は、飛来種子が発芽、生育できる可能性があるので、面的には狭く、量的には薄いことが望ましい。あくまで活着のための補助である。補助培地ＦＧ５は植栽の簡易化、活着率を高める上で使用することが望ましいがその必要が無いものにまで使用する必要はない。
【００５６】
請求項５の発明にかかるものは、
【００５７】
浮かせて敷設するマット、シートにおいて、雑草の貫通しない強度を有し、且つ、植物が生育可能ではないが高い保水性を有し、請求項３の苗の活着を補完するマットである。
【００５８】
マットの保水性が高いとマット上で雑草が生育できる可能性が高くなる。このマットが地表から浮いていれば、マット上で発芽した雑草はこの浮いた分だけ余分に成長しないと定着できない。また、マットが早く乾く定着できるまでの時間が減少する。浮いているため地中からの発芽してくる雑草は葉を展開してしまうため貫通力は著しく低下する。したがって従来の防草マットより、雑草の貫通を抑える強度は低く、保水力が高いマットでも同等の防草効果は期待できる。
【００５９】
保水性を高めると、マット直上部の根が利用できる水分をより多く保持できる。さらに、匍匐枝やランナーの発根を促進する。そして降雨後、マットが乾燥するまでは、マットの温度上昇を抑制するので、高温時にマットに近い部分の葉、茎へのダメージが緩和される。また、マットの透水性を高めると、防草シート、マット下に降水が充分浸み込みやすくなる。
【００６０】
保水性を高める方法は、保水性が高い素材マットを利用すること、同じ素材でも厚くすれば保水量は増える。マットに保水性が高い素材（例えばファイバー）を貼付しても保水量は増える。
【００６１】
また、マットに微細な穴をあけ、ファイバーなどの保湿材で覆えば、防草効果の低下を極力避けることは可能であり、根がマットを貫入して接地しやすくなる。
【発明を実施するための最良の形態】
【００６２】
以下本発明にかかわる実施の形態について、図面を参照しつつ説明するが、最良の形態
が、植栽する植物の種類によっても、また、植栽する時期（降雨の頻度、降水量、気温、日射量など）によって異なる。
【００６３】
そこで、実施の形態１について、ランナーを有する常緑の多年草を使用し、苗の形態を「苗７」もしくは、「苗１３」と想定して説明する。図１９は「苗７」を使用した施工図である。
【００６４】
３ｃｍほど浮かせて敷設された防草マット１０に「苗７」のＦＧ５が差し込めるように、防草マットに最小限の切込み１２を入れる。
【００６５】
ここから移植ゴテを差し込み、「苗７」の補助培地ＦＧ５を入れる植穴１３を掘る。この際、土壌の状態が良好ならば土壌を撹拌するだけでよい。そうでないなら補助培地Ｆ２が入る程度に土壌を取り出し、良質の土壌と入れ替える。
【００６６】
この部分に加水し、よく練る。そこに補助培地ＦＧ５を差し込む。
【００６７】
「苗７」の防草マット４を敷設された防草マット１０に固定し、「苗７」が動かないようにする。
【００６８】
「苗７」の替わりに「苗１３」を使用する場合は、敷設されたマット１０に補助パイプＬ１８の外径より僅かに小さい十字の切込みを入れ、補助パイプＬ１８より僅かに細くて短い錐状の棒で穴を穿つ。ここに「苗１３」を差し込む。補助パイプＬ１８の縁が防草マットの切り口を塞ぐ効果が期待できる。
【００６９】
「苗７」のＦＪ２からの根がマットを貫通している状態であれば、敷設されたマット１０を、苗のマット４より小さく切りとって、マット１０と苗のマット４を接着することも有効である。
【００７０】
活着した「苗７」、「苗１３」は新たに葉やランナー１６を出す。このランナー１６が発根し、敷設された防草マット１０を貫通し、根を地表１５に下ろすようになれば、敷設された防草マット１０は面的に緑化されていく。
【００７１】
苗の植栽方法であるが、以上の方法以外に、マット付きの苗の場合、防草シート、マットが敷設されていない場所ではマット付きの苗を繋ぎあわすパッチワーク方式も可能である。この際、１枚のマットに複数の苗を育成しておくことが望ましい。
【００７２】
なお「苗１３」、はパイプの内側の天端部においてマットが未使用であるため雑草の生育する可能性が少し高くなる。特に地下茎を有する多年草が多い場所は「苗１５」は「苗１６」、「苗１７」は「苗１８」のタイプとするか、パイプに底を閉じたパイプを使用するなどして対処する。
【００７３】
次に苗とマットの最良の形態について述べる。植栽される場所、時期において苗が活着し、その後順調に生育できるならば、苗はより簡便で、安価で、作業性が優れたものが望ましい。
【００７４】
植物の持つ特性によって活着の難易度は異なり、また、この工法を成立するさせるための苗を育成するために供される植物苗の状態によっても、育成に要する時間や経費も異なる。植栽場所の土壌条件の違いで、苗に求められる条件も異なる。そして植栽時期の気象条件特に降水頻度と、降水量に大きく左右される。
【００７５】
したがって苗の育成の度合いを「育成度」とし、苗の生育状態を優、良、可で評価し、個々の種の苗を植栽場所、植最時期に応じて、優の苗、良の苗、可の苗の何れを使用するか決定するのが望ましい。
【００７６】
匍匐枝やランナーがでる種の苗を植栽する場合、より保水性が高いマットが望まれる。それは、茎や葉がマットに触れている場合や、マットに近い部分にあるため、高温時にマットの熱の影響を受けやすい。保水性が高ければこの影響を緩和できる。また、匍匐枝は匍匐しながら発根する種が多く、また、ランナーは全て発根するため、保水性が高いのが望まれるとともに、根がマットを貫通しやすいことも大切である。敷設する前にマットに微細な穴（地表に光が届かない程度）をあけるか、それより大きな穴を開けファイバーを貼付し、穴を塞げば雑草の抑制効果に与える影響は、マットが浮いているためほとんど生じない。
【００７７】
本発明を実施する際しては、マットを浮かせて空気層を設けた場合を想定しておもに説明したが、すでにそのような処理を施さないでマットが敷設されている場合もある。植栽をした部分が特に雑草が生育する可能性が高いので、その部分だけマットを浮かせることで対処が可能な方法も説明した。したがって必ずしも設ける必要がない場合もある。
【００７８】
また、使用する材料、「苗」育成の仕様、植栽方法などの構成、形状、数量、材質、大きさ、接続関係等についても、上記各実施の形態に限定されるものではない。そして、この方法は既存緑地に限らず、屋上、壁面などもシート、マットの下に培地をセットすることで緑化することが可能になる。
【図面の簡単な説明】
【００７９】
【図１】「苗１」の模式図である。
【図２】「苗３」の模式図である。
【図３】「苗４」の模式図である。
【図４】「苗６」の模式図である。
【図５】「苗８」の模式図である。
【図６】「苗９」の模式図である。
【図７】「苗１０」の模式図である。
【図８】「苗１１」を育成する場合の、播種した状況の模式図である。
【図９】「苗１１」を育成する場合の、生育した状況の模式図である。
【図１０】「苗１１」を育成する場合の、補助培地ＦＧ５の上にセットした状況の模式図である。
【図１１】球根の背が１ｃｍ＜球根＜｛浮き幅｝である場合のの模式図である。
【図１２】「苗１２」を得るために使用する防草マット加工の状況の模式図である。
【図１３】「苗１２」の模式図である。
【図１４】補助パイプＳの模式図である。
【図１５】「苗１３」の模式図である。
【図１６】「苗１４」の模式図である。
【図１７】「苗１５」の模式図である。
【図１８】「苗１７」の模式図である。
【図１９】「苗７」を使用して、植栽した場合の模式図である。
【符号の説明】
【００８０】
１    地上部
２    補助培地ＦＪ
３    板
４    防草マット
５    補助培地ＦＧ
６    根
７    種子
８    培地土壌
９    球根
１０  敷設されたマット
１１  穴
１２  切り込み
１３  植穴
１４  空気層
１５  地表
１６  新たに出たランナー
１７  補助パイプＳ
１８  補助パイプＬ
【図１】
2006094787.tif 000003
【図２】
2006094787.tif 000004
【図３】
2006094787.tif 000005
【図４】
2006094787.tif 000006
【図５】
2006094787.tif 000007
【図６】
2006094787.tif 000008
【図７】
2006094787.tif 000009
【図８】
2006094787.tif 000010
【図９】
2006094787.tif 000011
【図１０】
2006094787.tif 000012
【図１１】
2006094787.tif 000013
【図１２】
2006094787.tif 000014
【図１３】
2006094787.tif 000015
【図１４】
2006094787.tif 000016
【図１５】
2006094787.tif 000017
【図１６】
2006094787.tif 000018
【図１７】
2006094787.tif 000019
【図１８】
2006094787.tif 000020
【図１９】
2006094787.tif 000021